(57)【要約】【課題】保護板に形成された印刷枠の色が変色して表示品位を低下させる虞が低減された表示モジュールを提供する。【解決手段】液晶表示パネル１の表示を観察する前側にタッチパネル２が設置され、このタッチパネルの前側に光硬化型透明接着層６を介して透明保護板３が設置された表示モジュールにおいて、フレキシブル配線基板接合端部５１の投影領域Ｄｐ、つまりタッチパネル２の後側から光硬化型透明接着剤を硬化させるための紫外線を照射する際に影となる領域、に光硬化型透明接着剤が進入するのを防止する壁部７１が、透明保護板３の接着側内面に印刷された遮光枠７の前記投影領域Ｄｐの表示領域Ｄｄに近い縁部に沿った部分を局部的に厚くすることにより凸設されている。【選択図】      図２
2011209590.tif 000002
【特許請求の範囲】
【請求項１】
表示パネルと、
前記表示パネルの前側に配置されたタッチパネルと、
前記タッチパネルの前側に光硬化型透明接着剤を介して貼着され、前記タッチパネルと対向する後面に遮光枠が形成された保護板と、を備える表示モジュールであって、
少なくとも一部が非透光性を有する配線基板が前記タッチパネルに接合され、
前記保護板と前記タッチパネルとの間に、前記遮光枠のうち少なくとも前記配線基板の非透光性を有する部分に重なる領域が前記光硬化型透明接着剤と接触することを妨げるバリア手段が設けられていることを特徴とする表示モジュール。
【請求項２】
請求項１に記載の表示モジュールにおいて、前記バリア手段は、前記表示領域に重なる領域と遮光枠のうち前記配線基板に重なる領域との間において、前記遮光枠の印刷厚さを厚くすることにより形成された第１のバリア手段を含むことを特徴とする表示モジュール。
【請求項３】
請求項２に記載の表示モジュールにおいて、前記第１のバリア手段は、遮光枠のうち前記配線基板に重ならない領域において前記タッチパネルと接触していることを特徴とする表示モジュール。
【請求項４】
請求項２または３に記載の表示モジュールにおいて、前記第１のバリア手段は、所定の部分が、前記遮光枠のうち前記配線基板に重なる領域を取り囲むように形成されていることを特徴とする表示モジュール。
【請求項５】
請求項１乃至４の何れかに記載の表示モジュールにおいて、前記バリア手段は、前記遮光枠のうち前記配線基板に重なる領域と前記配線基板に重ならない領域との境界線に沿って、前記遮光枠と接触するように設けられた第２のバリア手段を含むことを特徴とする表示モジュール。
【請求項６】
請求項５に記載の表示モジュールにおいて、前記第２のバリア手段は、前記遮光枠のうち前記配線基板に重なる領域と前記配線基板に重ならない領域との境界線に沿った領域が、前記遮光枠及び前記配線基板と接触するように、前記遮光枠から前記配線基板にかけて設けられていることを特徴とする表示モジュール
【請求項７】
請求項１乃至６の何れかに記載の表示モジュールにおいて、前記バリア手段は、前記遮光枠のうち前記配線基板に重ならない領域において、前記遮光枠の印刷厚さを薄くすることにより形成されている第３のバリア手段を含むことを特徴とする表示モジュール。
【請求項８】
請求項１乃至７の何れかに記載の表示モジュールにおいて、前記バリア手段は、前記表示領域に重なる領域において前記保護板に溝を掘ることにより形成されている第４のバリア手段を含むことを特徴とする表示モジュール。
【請求項９】
表示パネルと、
前記表示パネルの前側に配置されたタッチパネルと、
前記タッチパネルの前側に光硬化型透明接着剤を介して貼着され、前記タッチパネルと対向する後面に遮光枠が形成された保護板と、を備える表示モジュールであって、
前記遮光枠と重なる領域のベースフィルムが透明であるフレキシブル配線基板が前記タッチパネルに接合されていることを特徴とする表示モジュール。
【請求項１０】
表示パネルと、
前記表示パネルの前側に配置されたタッチパネルと、
前記タッチパネルの前側に光硬化型透明接着剤を介して貼着され、前記タッチパネルと対向する後面に遮光枠が形成された保護板と、を備える表示モジュールであって、
貫通孔が配線部を避けて設けられているフレキシブル配線基板が、前記貫通孔と前記遮光枠とが重なるように前記タッチパネルに接合されていることを特徴とする表示モジュール。
【請求項１１】
請求項１乃至１０の何れかに記載の表示モジュールにおいて、前記表示パネルが液晶表示パネルまたは有機ＥＬ表示パネルであることを特徴とする表示モジュール。
【発明の詳細な説明】
【技術分野】
【０００１】
この発明は、表示面に保護板を設置した表示モジュールに関する。
【背景技術】
【０００２】
従来、液晶パネルなどを備えた電子機器において、液晶パネルの前側に光硬化型透明接着剤を介して保護板を貼着する方法が提案されている。この際、保護板の後面（保護板の一対の主面のうち液晶パネルが配置された側の面）には、通常、その周縁部に液晶パネルの非表示領域と重なる黒色の遮光枠が黒色インクを印刷する等の方法により設置されているため、液晶パネルの側方から光硬化型接着剤を硬化させるための光を照射している。
【先行技術文献】
【特許文献】
【０００３】
【特許文献１】特開２００９−１９２７９４号公報
【発明の概要】
【発明が解決しようとする課題】
【０００４】
ところで、液晶パネルの前側にタッチパネルを配置して、そのタッチパネルのさらに前側（タッチパネルに対して液晶パネルが配置された側とは反対側）に、光硬化型透明接着剤を介して保護板が貼着された電子機器も提案されている。このタッチパネルを備えた電子機器の製造に際しては、タッチパネルの前側に光硬化型接着剤を介して保護板を配置した後に、タッチパネルの後側から光を照射して光硬化型接着剤を硬化し、次いで、保護板が貼着されたタッチパネルを液晶パネルの前側に配置している。この場合、遮光枠に重なる領域における光硬化型接着剤を硬化させるための簡便な方法として、タッチパネルの後側から光を照射する方法があるが、タッチパネルの一縁端部には配線基板が接合されているため、配線基板により遮光される領域の光硬化型接着剤が未硬化状態のまま残ってしまう。そして、光硬化型接着剤に光を照射した後も、未硬化の光硬化型接着剤が印刷遮光枠に接触したままでいると、印刷色が変色し、その表示装置が不良品となる虞があった。
【０００５】
本発明の目的は、タッチパネルを有した表示モジュールにおいて、保護板をタッチパネルの前面に貼着設置するための光硬化型接着剤が少なくとも印刷遮光枠と接触する部分において未硬化のまま残らないように、光硬化型接着剤を硬化させることにより、保護板に形成された印刷枠の色が変色して表示品位を低下させる虞が低減された表示モジュールを提供することである。
【課題を解決するための手段】
【０００６】
請求項１に記載された表示モジュールは、表示パネルと、前記表示パネルの前側に配置されたタッチパネルと、前記タッチパネルの前側に光硬化型透明接着剤を介して貼着され、前記タッチパネルと対向する後面に遮光枠が形成された保護板と、を備える表示モジュールであって、少なくとも一部が非透光性を有する配線基板が前記タッチパネルに接合され、前記保護板と前記タッチパネルとの間に、前記遮光枠のうち少なくとも前記配線基板の非透光性を有する部分に重なる領域が前記光硬化型透明接着剤と接触することを妨げるバリア手段が設けられていること、を特徴とするものである。
【０００７】
請求項２に記載の発明は、請求項１に記載の表示モジュールにおいて、前記バリア手段は、前記表示領域に重なる領域と遮光枠のうち前記配線基板に重なる領域との間において、前記遮光枠の印刷厚さを厚くすることにより形成された第１のバリア手段を含むこと、を特徴とするものである。
【０００８】
請求項３に記載の発明は、請求項２に記載の表示モジュールにおいて、前記第１のバリア手段は、遮光枠のうち前記配線基板に重ならない領域において前記タッチパネルと接触していること、を特徴とするものである。
【０００９】
請求項４に記載の発明は、請求項２または３に記載の表示モジュールにおいて、前記第１のバリア手段は、所定の部分が、前記遮光枠のうち前記配線基板に重なる領域を取り囲むように形成されていること、を特徴とするものである。
【００１０】
請求項５に記載の発明は、請求項１乃至４の何れかに記載の表示モジュールにおいて、前記バリア手段は、前記遮光枠のうち前記配線基板に重なる領域と前記配線基板に重ならない領域との境界線に沿って、前記遮光枠と接触するように設けられた第２のバリア手段を含むこと、を特徴とするものである。
【００１１】
請求項６に記載の発明は請求項５に記載の表示モジュールにおいて、前記第２のバリア手段は、前記遮光枠のうち前記配線基板に重なる領域と前記配線基板に重ならない領域との境界線に沿った領域が、前記遮光枠及び前記配線基板と接触するように、前記遮光枠から前記配線基板にかけて設けられていること、を特徴とするものである。
【００１２】
請求項７に記載の発明は、請求項１乃至６の何れかに記載の表示モジュールにおいて、前記バリア手段は、前記遮光枠のうち前記配線基板に重ならない領域において、前記遮光枠の印刷厚さを薄くすることにより形成されている第３のバリア手段を含むこと、を特徴とするものである。
【００１３】
請求項８に記載の発明は、請求項１乃至７の何れかに記載の表示モジュールにおいて、前記バリア手段は、前記表示領域に重なる領域において前記保護板に溝を掘ることにより形成されている第４のバリア手段を含むこと、を特徴とするものである。
【００１４】
請求項９に記載の発明は、表示パネルと、前記表示パネルの前側に配置されたタッチパネルと、前記タッチパネルの前側に光硬化型透明接着剤を介して貼着され、前記タッチパネルと対向する後面に遮光枠が形成された保護板と、を備える表示モジュールであって、前記遮光枠と重なる領域のベースフィルムが透明であるフレキシブル配線基板が前記タッチパネルに接合されていること、を特徴とするものである。
【００１５】
請求項１０に記載の発明は、表示パネルと、前記表示パネルの前側に配置されたタッチパネルと、前記タッチパネルの前側に光硬化型透明接着剤を介して貼着され、前記タッチパネルと対向する後面に遮光枠が形成された保護板と、を備える表示モジュールであって、貫通孔が配線部を避けて設けられているフレキシブル配線基板が、前記貫通孔と前記遮光枠とが重なるように前記タッチパネルに接合されていること、を特徴とするものである。
【００１６】
請求項１１に記載の発明は、請求項１乃至１０の何れかに記載の表示モジュールにおいて、前記表示パネルが液晶表示パネルまたは有機ＥＬ表示パネルであること、を特徴とするものである。
【発明の効果】
【００１７】
本発明によれば、保護板に形成された印刷枠の色が変色して表示品位を低下させる虞を低減することができる。
【図面の簡単な説明】
【００１８】
【図１】（ａ）は本発明の第１実施形態としての携帯電話機を示した平面図で、（ｂ）はその立面図である。
【図２】上記第１実施形態の要部構成を拡大して示す図１（ａ）のII−II線断面図である。
【図３】本発明の第２実施形態を示す図２に対応する拡大断面図である。
【図４】本発明の第３実施形態を示す図２に対応する拡大断面図である。
【図５】本発明の第４実施形態を示す図２に対応する拡大断面図である。
【図６】本発明の第５実施形態における要部構成を示す図２に対応する拡大断面図である。
【発明を実施するための形態】
【００１９】
図１（ｂ）に示すように、第１の発明の第１実施形態としての携帯電話機は、大略、液晶表示パネル１の前側にタッチパネル２が配置され、タッチパネルのさらに前側（タッチパネル２に対して液晶表示パネル１が配置された側とは反対側）に光硬化型接着層６を介して保護板３が重畳設置されてなる。
【００２０】
液晶表示パネル１は、通常のＴＮ型液晶表示パネルであり、図示されていないが、一対の透明基板間にツイストネマチック液晶層が挟持され、一対の透明基板の各外面にそれぞれ偏光板が貼着されて構成されている。
【００２１】
この液晶表示パネル１の前側には、透明接着層４を介してタッチパネル２が重畳設置されている。タッチパネル２は、抵抗膜式のタッチパネルであり、図２に示すように、各表面に透明抵抗膜２１がそれぞれ被着された一対の透明基板２２、２２が抵抗膜被着側表面を対向させて所定の間隔を保ち接合されて構成されている。
【００２２】
そして、タッチパネル２の前面（タッチパネル２の一対の主面のうち保護板３と対向する面）の一縁端部には、少なくとも一部が非透光性を有する部品であるフレキシブル配線基板５が導通接合されている。このフレキシブル配線基板５は、ベースフィルムがポリイミド樹脂フィルムからなる通常のＦＰＣ（Flexible Printed Circuit）であり、情報入力ツールとしてのタッチパネル２からのタッチ入力信号等の各種信号電圧を、図外の駆動制御部との間で入出力するための配線基板である。なお、本明細書においては、所定の部材を介して例えばＵＶ光といった光を照射したときに、当該部材に対して光が照射される側と反対側に配置された光硬化型接着剤６´が硬化する程度に当該部材が光を透過する場合、当該部材は透光性を有すると言う。
【００２３】
タッチパネル２の前側には、光硬化型透明接着層６を介して透明保護板３が設置されている。この透明保護板３のタッチパネル２と対向する後面には、液晶パネル１の前面（液晶パネル１の一対の主面のうちタッチパネル２と対向する面）における表示領域Ｄｄを除いた領域である非表示領域と重なる遮光枠７が印刷により塗布形成されている。
【００２４】
本実施形態における遮光枠７は、黒色樹脂インクを用いたスクリーン印刷法により塗布形成されている。黒色樹脂インクとしては、アクリル系バインダー樹脂中にカーボンブラックを混合させたスクリーン印刷用のインクを用いている。
【００２５】
而して、前記遮光枠７の所定位置に、局部的に肉厚に形成した壁部７１が凸設されている。この壁部７１は、前記遮光枠７のうち少なくともフレキシブル配線基板５の非透光性を有する部分に重なる領域が光硬化型透明接着剤６´と接触することを妨げる隔壁（第１のバリア手段）であり、保護板３とタッチパネル２との間にフレキシブル配線基板５の接合端部５１の端面に沿ってＬ字形に凸設されている。
【００２６】
上述のＬ字形壁部７１を備える遮光枠７は、スクリーン印刷版の壁部７１に対応する部分の目の粗さを他の部分よりも適度に粗くすることにより、或いは、遮光枠７全体を均一厚さで印刷する版で印刷した後に壁部７１のみを印刷する版に変えて重ね刷りすることにより、容易に形成することが可能である。
【００２７】
透明保護板３をタッチパネル２の前側に設置するには、まず、光硬化型接着剤６´の所定量をタッチパネル２の前面の中央部に滴下する。
【００２８】
次に、透明保護板３を、位置合わせを行いつつタッチパネル２の前面に遮光枠７を対面させて載置し、この後、透明保護板３の外面全体を均等に加圧してタッチパネル２との間に挟持されている光硬化型接着剤６´を押し広げる。この加圧工程では、プレス機等を用いてその加圧ストロークを正確に制御することにより、タッチパネル２と透明保護板３間において光硬化型接着剤６´をタッチパネル２からはみ出させずに隙間なく押し広げ、タッチパネル２と透明保護板３を所定の厚さの光硬化型透明接着層６を介して接合することができる。
【００２９】
次に、図２に示すように、タッチパネル２の後側から紫外線ＵＶを照射する。この際、フレキシブル配線基板５の接合端部５１により紫外線ＵＶの透過が或る程度遮られるため、光硬化型透明樹脂が未硬化のまま残ってしまう。しかしながら、この保護板３とタッチパネル２との間において、前記遮光枠のうち少なくとも前記配線基板の非透光性を有する部分に重なる領域である投影領域Ｄｐへの光硬化型接着剤６´の進入は遮光枠７に凸設した壁部７１により阻止される。従って、光硬化型接着剤６´に光を照射した後に未硬化の光硬化型接着剤６´が遮光枠７に接触したままになる虞はなく、全ての光硬化型接着剤が充分に硬化して、透明保護板３がタッチパネル２に確実に接着される。その結果、未硬化状態の光硬化型接着剤が遮光枠７と接触することにより遮光枠７が変色する不具合の発生が防止される。
【００３０】
なお、本実施形態では、遮光枠７の壁部７１先端面をタッチパネル２の前面に当接させてあるが、壁部７１の先端面とタッチパネル２の前面は、或る程度離隔していてもよい。この場合、透明保護板３の加圧工程で加圧ストロークが正確に制御されているから、光硬化型接着剤６´が、壁部７１を越えたとしても、投影領域Ｄｐまで進入する虞はない。ここで、加圧ストロークを正確に制御することによって透明保護板３とタッチパネル２との間の距離を制御したが、図示しないスペーサを透明保護板３とタッチパネル２との間に介在させることによってこの距離を制御してもよい。
【００３１】
また、光硬化型接着剤６´の進入防止壁としては、上述した遮光枠壁部７１に限らず、遮光枠７とは別材料の、例えば、光硬化型透明接着層６と同材料の光硬化型接着剤等により、対向側のタッチパネル２前面に凸設してもよい。この場合、光硬化型接着剤６´による進入防止壁を半硬化させた状態で、透明保護板接着用の光硬化型接着剤６´を滴下し加圧押し広げを行った後、最終的に双方の光硬化型接着剤６´を一括して完全硬化させることも可能である。
【００３２】
上述のようにして透明保護板３が貼着されたタッチパネル２は、液晶表示パネル１の表示面に透明接着層４を介して接合される。この透明接着層４としては、光硬化型以外の汎用透明接着剤が好適に使用される。
【００３３】
上述のようにして本第１実施形態の表示モジュールは、透明保護板３とタッチパネル２との間に、前記遮光枠７のうち少なくとも前記フレキシブル配線基板５の非透光性を有する部分に重なる領域が光硬化型透明接着剤６´と接触することを妨げる前記遮光枠７を局部的に肉厚に形成した壁部７１が設けられており、前記壁部７１が、遮光枠のうち前記配線基板に重なる領域と前記表示領域に重なる領域との間において、前記遮光枠の印刷厚さを厚くすることにより形成された第１のバリア手段を含み、前記壁部７１は、遮光枠のうち前記配線基板に重ならない領域において前記タッチパネルと接触していて、前記第１のバリア手段は、所定の部分が、前記遮光枠のうち前記配線基板に重なる領域を取り囲むように形成されている。
従って、本第１実施形態において、光硬化型透明接着剤６´の投影領域Ｄｐへの進入が遮光枠壁部７１により阻止され、フレキシブル配線基板５と重なる部分においては光硬化型接着剤６´が存在しないので、全ての光硬化型接着剤６´に対し紫外線を充分に照射することができ、その結果、光硬化型接着剤６´に光を照射した後に未硬化の光硬化型接着剤６´が遮光枠７に接触したままになる虞は無く、遮光枠７の変色が確実に防止される。
【００３４】
次に、第１の発明の第２〜第４実施形態について、それぞれ、図３〜図５に基づき説明する。なお、以下の各実施形態においては、上記第１実施形態と同一の構成要素については同一の符号を付して、その説明を省略する。
【００３５】
図３に示す第２実施形態では、非透光性部材であるフレキシブル配線基板５の導通接合端部５１に補強シート８を貼着し、この補強シート８を光硬化型透明接着剤６´の遮光枠７とフレキシブル配線基板５の接合端部５１とに重なる領域である投影領域Ｄｐへの進入を防止する第２のバリア手段として兼用する。
【００３６】
補強シート８の材料としては高密度ウレタンフォーム等の可撓性緩衝材が好適であり、このような補強シート材をフレキシブル配線基板５の導通接合端部５１全体に貼着するか、或いは、その縁辺に沿って塀状に配設すればよい。その他の構成は、上記第１実施形態と同じである。
【００３７】
上述したように、本第２実施形態の表示モジュールは、透明保護板３とタッチパネル２との間に、遮光枠７のうち少なくともフレキシブル配線基板５の非透光性を有する部分に重なる領域が光硬化型透明接着剤６´と接触することを妨げる補強シート８が設けられており、前記補強シート８は、遮光枠７のうちフレキシブル配線基板５に重なる領域と前記フレキシブル配線基板５に重ならない領域との境界線に沿って、前記遮光枠７と接触するように設けられ、前記補強シート８は、フレキシブル配線基板５に重なる領域と前記フレキシブル配線基板５に重ならない領域との境界線に沿った領域が、遮光枠７及びフレキシブル配線基板５と接触するように、遮光枠７からフレキシブル配線基板５にかけて設けられている。
従って、本第２実施形態においても、上記第１実施形態と同様に、光硬化型透明接着剤６´の投影領域Ｄｐへの進入が補強シート８により阻止され、フレキシブル配線基板５と重なる部分においては光硬化型接着剤６´が存在しないので、全ての光硬化型接着剤６´に対し紫外線を充分に照射することができ、その結果、光硬化型接着剤６´に光を照射した後に未硬化の光硬化型接着剤６´が遮光枠７に接触したままになる虞は無く、遮光枠７の変色が確実に防止される。
【００３８】
図４に示す第３実施形態は、遮光枠７に、本発明の第３のバリア手段として、フレキシブル配線基板接合端部５１の投影領域Ｄｐとその他の領域との境界に沿って、遮光枠７にＬ字形の溝７２を凹設したものである。このＬ字形溝７２は、接合端部５１の投影エリアの内側つまり表示領域Ｄｄ側に、断面が幅ｗ×深さｄの矩形をなす形状に凹設されている。ここで、溝７２の幅ｗと深さｄの各寸法は、遮光枠７として光を漏らさずに確実に遮断でき、且つ、光硬化型接着剤６´の接合端部５１投影エリアへの進入を防止できる範囲内で、可及的に大きく設定される。
【００３９】
本第３実施形態の製造工程において、透明保護板３を押圧してタッチパネル２との間の光硬化型接着剤６´を押し広げた際、フレキシブル配線基板接合端部５１の投影領域Ｄｐに向かう光硬化型接着剤６´は、まず、溝７２内に進入し、溝７２内が光硬化型接着剤６´で充満した後は、光硬化型接着剤６´が前記投影領域Ｄｐに進出し始める。しかし、前述したように、光硬化型接着剤６´の滴下量と透明保護板３に対する加圧ストロークが、滴下された光硬化型接着剤６´がタッチパネル２全体の投影領域Ｄｐからはみ出すことなく所定の厚さで均等に押し広げられるように設定されているから、溝７２内が光硬化型接着剤６´で満たされた時点で、この方向の光硬化型接着剤６´の広がりはストップする。即ち、溝７２が押し広げられる光硬化型接着剤６´のバッファー領域となる。
【００４０】
上述したように、本第３実施形態の表示モジュールは、透明保護板３とタッチパネル２との間に、遮光枠７のうち少なくともフレキシブル配線基板５の非透光性を有する部分に重なる領域が光硬化型透明接着剤６´と接触することを妨げる溝７２が設けられており、前記溝７２は、前記遮光枠の前記配線基板に重ならない領域において、前記遮光枠の印刷厚さを薄くすることにより形成されている。
その結果、光硬化型接着剤６´の投影領域Ｄｐへの進入が妨げられ、フレキシブル配線基板５と重なる部分においては光硬化型接着剤６´が存在しないので、全ての光硬化型接着剤６´に対し紫外線を充分に照射することができ、光硬化型接着剤６´に光を照射した後に未硬化の光硬化型接着剤６´が遮光枠７に接触したままになる虞は無く、遮光枠７の変色が確実に防止される。
【００４１】
図５に示す第４実施形態は、上記第３実施形態における遮光枠７に設けたバッファー溝７２に代えて、本発明の第４のバリア手段として透明保護板３に細溝３１を凹設したものである。この場合、細溝３１は、遮光枠７が被着されている非表示領域ではなく、表示領域Ｄｄの縁部に設けられるから、表示品位に悪影響を及ぼさないように、上記第３実施形態の溝７２よりも幅ｗ、深さｄ共に小さい複数条の細溝３１が、平行に配設されている。ここで、光硬化型接着剤６´が隙間なく充填され易くするために細溝３１の底面を湾曲面にしたり、光硬化型接着剤６´として光屈折率が透明保護板３に近似したものを選定することにより、表示品位の低下を略解消することができる。
【００４２】
本第４実施形態の表示モジュールは、透明保護板３とタッチパネル２との間に、遮光枠７のうち少なくともフレキシブル配線基板５の非透光性を有する部分に重なる領域が光硬化型透明接着剤６´と接触することを妨げる細溝３１が設けられており、前記細溝３１は、遮光枠７のうち表示領域に重なる領域において保護板３に細溝３１を掘ることにより形成されているので、上記第３実施形態と同様に、複数の細溝３１が光硬化型接着剤６´の広がりを抑えるバッファーとなり、光硬化型接着剤６´の滴下量と透明保護板３の加圧ストロークを適正に設定することにより、光硬化型接着剤６´の非透光性部材投影領域Ｄｐへの進入が有効に妨げられて光硬化型接着剤６´に光を照射した後に未硬化の光硬化型接着剤６´が遮光枠７に接触したままになる虞は無く、遮光枠７の変色が確実に防止される。
【００４３】
次に、本件出願における第５実施形態について、図６に基づき説明する。なお、本実施形態の説明においても、上記実施形態等と同一の構成要素についてはそれらと同一の符号を付して、その説明を省略する。
【００４４】
本第５の実施形態は、上述の各実施形態において光が照射されない領域への光硬化型透明接着剤６´の進出を妨げたバリア手段を設けず、光が照射されないために光硬化型透明接着剤６´が未硬化のまま残る虞のある領域を解消するものである。
【００４５】
即ち、本実施形態では、タッチパネル２に導通接合されているフレキシブル配線基板９として、遮光枠７と重なる領域のベースフィルムが透明な樹脂フィルムからなる透光性フレキシブル配線基板９が用いられている。これにより、少なくとも透光性フレキシブル配線基板９のうち配線が形成された部分を除く部分においては、タッチパネル２の裏面から照射された紫外線ＵＶが、遮光枠７とフレキシブル配線基板５の接合端部５１とに重なる領域である投影領域Ｄｐにも透過するから、この投影領域Ｄｐまで押し広げられた光硬化型接着剤６´が進出していても、未硬化のまま残ることはない。その結果、未硬化光硬化型接着剤６´に光を照射した後に未硬化の光硬化型接着剤６´が遮光枠７に接触したままになる虞は無く、と接触する虞もなく、したがって、遮光枠７が変色することもない。
【００４６】
なお、フレキシブル配線基板９の少なくとも一部を透光性とするには、ベースフィルムを透明化する方策以外に、ベースフィルムの配線配設部を避けて当該ベースフィルムの遮光枠７と重なる領域に光を透過するための複数の貫通孔を穿設することによっても光硬化型接着剤６´を硬化させるのに充分な透光性を付与することが可能である。
【００４７】
本件出願の発明は、上述したそれぞれの実施形態に限定されるものではない。例えば、上述したいずれの実施形態においても、光硬化型接着剤６´の滴下量と透明保護板３の加圧ストロークに加えて、所望のサイズとなるように設定された図示しないスペーサを透明保護板３とタッチパネル２との間に介在させることで、光硬化型接着剤６´の非透光性部材投影領域Ｄｐへの進入を有効に防止することができる。また、上述の各実施形態では、透明保護板３を光硬化型接着剤６´を介してタッチパネル２に接合した表示モジュールを例示して説明したが、透明保護板３が光硬化型接着剤６´を介して液晶表示パネル１に接合され、タッチパネル２を備えない表示モジュールにも、本発明を適用できることは言うまでもない。
また、第１から第４のバリア手段は各々互いに組み合わせて用いてもよい。
さらに、例えば、本願発明は、液晶表示パネルにタッチパネルを介して透明保護板を設置した表示モジュールに限らず、有機ＥＬ表示パネルに手書き入力パネルを介して透明保護板を設置した表示モジュール等にも、広く適用可能であることは、勿論である。
【符号の説明】
【００４８】
１                        液晶表示パネル
２                        タッチパネル
３                        透明保護板
３１                      細溝
４                        透明接着層
５                        フレキシブル配線基板
５１                      接合端部
６                        光硬化型透明接着層
６´                      光硬化型透明接着剤
７                        遮光枠
７１                      壁部
７２                      溝
８                        補強シート
９                        透光性フレキシブル配線基板
Ｄｄ                      表示領域
Ｄｐ                      投影領域
【図１】
2011209590.tif 000003
【図２】
2011209590.tif 000004
【図３】
2011209590.tif 000005
【図４】
2011209590.tif 000006
【図５】
2011209590.tif 000007
【図６】
2011209590.tif 000008